(57)【要約】ランプソケット組立て体（１８）は、ソケット組立て体の気体放出の制限が望ましいか、必要な用途において、取替え型白熱灯（２２）に使用することができる。ソケット組立て体（１８）は、ポリエーテルイミドから製造したプラスチックソケットを含み、ソケットには、白熱灯（２２）のプレスシール末端（４０）を受け入れる開口部（５０）が設けてある。複数の電気接触子（３４）が開口部（５０）内に設置してあり、ソケット（１８）は、同様に、接触子の一つとそれぞれ電気的に連結する複数の端子（３６）を含む。ソケット（１８）は、白熱灯（２２）のプレスシール末端（４０）と係合することにより、ランプを開口部内に保持するように開口部（５０）に設置した少なくとも一つの弾力性保持構成部分（５２）を含む。ソケット（１８）は、ハウジング（３０）と、そのハウジングに一体に装着された別個の本体（３２）を含み、本体とハウジングの両方をポリエーテルイミドから製造してある。
2004523079.tif 000002
【特許請求の範囲】
【請求項１】
白熱灯のプレスシールを受け入れる開口部を設けたポリエーテルイミド製プラスチックソセットと、
前記開口部内に設置した複数の電気接触子と、
前記接触子の一つとそれぞれ電気的に連結する複数の端子とを含み、
前記ソケットが、白熱灯のプレスシール末端と係合することにより、ランプを前記開口部内に保持するように前記開口部に設置した少なくとも一つの弾力性保持構成部分を含む、個別の取替え型白熱灯に使用するランプソケット組立て体。
【請求項２】
ランプのプレスシール末端がプラスチックスリーブ管を含む請求項１に記載のランプソケット組立て体。
【請求項３】
前記端子がそれぞれ、前記接触子の一つと結合し、各端子と関係接触子が、互いに電気的に連結した別個の構成部品を構成する請求項１に記載のランプソケット組立て体。
【請求項４】
前記ソケットがハウジングと、前記ハウジンクに一体に装着される別個の本体を含み、前記本体とハウジングが共にポリエーテルイミドから製造してある請求項１に記載のランプソケット組立て体。
【請求項５】
前記電気接触子を前記本体内に設置し、前記端子を前記ハウジング内に設置してある請求項４に記載のランプソケット組立て体。
【請求項６】
ランプソケットと、
前記ランプソケット内に着脱自在に取り付けた白熱灯；前記ランプの周りに少なくとも部分的に広がる反射体と、
レンズを含み、前記ランプソケットをポリエーテルイミドから製造してある車両ランプ組立て体。
【請求項７】
ランプソケット内の開口部内に設置した複数の電気接触子と、
前記接触子の一つとそれぞれ電気的に連結する複数の端子とを含み、
前記ソケットが、白熱灯と係合することにより、ランプを前記開口部内に保持するように前記開口部に設置した少なくとも一つの弾力性保持構成部分を含む請求項６に記載の車両ランプ組立て体。
【請求項８】
ランプが、前記保持構成部分と接触するプラスチックスリーブ管を設けたプレスシール末端を含む請求項７に記載の車両ランプ組立て体。
【請求項９】
前記端子のそれぞれが、前記接触子の一つと結合し、各端子と関係接触子が、互いに電気的に連結した別個の構成部品を構成する請求項７に記載の車両ランプ組立て体。
【請求項１０】
前記ソケットが、ハウジングと、前記ハウジングに一体に装着された別個の本体を含み、前記本体とハウジングが共にポリエーテルイミドから製造してある請求項６に記載の車両ランプ組立て体。
【請求項１１】
さらに、前記ソケットを取り付けるバックプレートを含む請求項６に記載の車両ランプ組立て体。
【発明の詳細な説明】
【技術分野】
【０００１】
この発明は、ランプソケット、特に、外部照明用途に用いる車両ランプソケット組立て体に関する。
【背景技術】
【０００２】
外部車両照明用途に用いられるプラスチックの気体放出は、レンズおよび／または反射体を曇らせ、ランプ組立て体全体の外観、美観および測光性能に有害な作用を及ぼし得ることがわかっている。例えば、報告によれば、ヘッドランプ寿命にわたって気体を放出しないとされるチタン炭化物被覆を用いる車両ヘッドランプの光遮蔽物について開示するフレイジャー（Ｆｒａｚｉｅｒ）の米国特許第６，０１２，８３０号に記載されている。気体放出は、幾つかの樹脂の重合工程の結果として樹脂からの揮発物の放出について追跡されてきた。これは、特に、外部車両白熱灯をプラスチックランプソケットと連結して使用する場合に当て嵌まる。何故なら、ランプの熱出力がソケットの温度を９３．３℃（２００°Ｆ）〜２３２．２℃（４５０°Ｆ）に上昇させ得るからである。
【０００３】
一般的に、在来の白熱灯および他の発熱性ランプ用途に使用されるプラスチックは、プラスチックが軟化または分解せずに、高温で働く能力で選択されてきた。例えば、高圧放電車両ヘッドランプのＵｌｔｅｍ２３００（商標名）およびＲｙｔｏｎ（商標名）のような高温耐用プラスチックの用途について開示するＦ．エクハルト（Ｅｃｋｈａｒｄｔ）らの米国特許第４，７９５，９３９号を参照すること。Ｕｌｔｅｍ（商標名）のようなポリエーテルイミドは、Ｄ．ゼレディッヒ（Ｓｅｒｅｄｉｃｈ）らの米国特許第５，２３９，２２６号、Ｃ．コリアンドリス（Ｃｏｌｉａｎｄｒｉｓ）らの米国特許第４，７９５，３８８号およびＡ．ブラウン（Ｂｒａｕｎ）らの米国特許第４，７５１，４２１号に開示されるような他の車両ヘッドランプ用途にも用いられてきた。これらの各特許は、Ｕｌｔｅｍ（商標名）製のハロゲンヘッドランプベースまたはホルダーを開示する。ポリエーテルイミドから製造した一体ソケットを設けたアーク管を開示するＭ．フレイ（Ｆｒｅｙ）らの米国特許第５，８８９，３６０号もまた、参照すること。ランプ自体のほかに、ポリエーテルイミドプラスチックは、Ｋ．マイヤー（Ｍｅｙｅｒ）らの米国特許第４，９８２，１３２号およびＭ．ガオゲル（Ｇａｕｇｅｌ）らの米国特許第４，７７４，６３６号に開示されるような、ランプ反射体にも使用されてきた。
【発明の開示】
【発明が解決しようとする課題】
【０００４】
本発明に従って、ソケット組立て体の気体放出の制限が望ましいか、必要とされる用途において取替え型白熱灯に使用できるランプソケット組立て体を提供するものである。
【課題を解決するための手段】
【０００５】
ソケット組立て体は、ポリエーテルイミドから製造したプラスチックソケットを含み、ソケットには、白熱灯のプレスシール末端を受け入れる開口部が設けてある。複数の電気接触子が開口部に設置してあり、ソケットは、接触子の一つとそれぞれ電気的に連結する複数の端子を同様に含む。ソケットは、白熱灯のプレスシール末端部と係合することにより、ランプを開口部内に保持するように開口部に設置した少なくとも一つの弾力性保持構成部分を含む。ソケットは、ハウジングと、そのハウジングに一体に装着される別個の本体を含み、本体とハウジングが共にポリエーテルイミドから製造することが好ましい。
【０００６】
本発明の別の局面に従って、ランプソケット、そのランプソケット内に着脱自在に取り付けた白熱灯、ランプの周りに少なくとも部分的に広がる反射体およびレンズを含み、ランプソケットをやはりポリエーテルイミドから製造する車両ランプ組立て体を提供する。
【発明を実施するための最良の形態】
【０００７】
本発明の好適模範的実施形態を下に添付図面と結び付けて説明する。同じ標示は、同じ構成要素を示す。
図１は、後方の車両照明に使用して、ブレーキ操作、方向転換信号および後退操作に対して個別に後方照明を提供し得るような外部車両ランプ組立て体１０を図示する。本組立て体１０は、一体構成部品として形成してある三つの反射体１４〜１６に取り付けた共通のバックプレート１２を含み、三つの各反射体部分１４〜１６は、それぞれのランプソケット１８〜２０を設置する中央開口部をそれぞれに設けてある。各ランプソケットは、共通バックプレート１２に個々に取り付けてあり、それぞれ白熱灯２２〜２４を含む。
【０００８】
図２は、さらに、ランプソケット１８の一つとその関係ランプ２２の詳細を図示する。そこに示すように、ランプソケット１８は、実際には、ハウジング３０、そのハウジング内に取り付けた本体３２、ランプ１８に電力を送る本体３２内の電気接触子一式３４およびバックプレートから接触子３４へ電力を送るため、接触子３４に電気的に連結する対応端子一式３６（断面図では一つだけを示す）から形成してあるソケット組立て体である。ランプ２２は、ランプをランプソケット１８内の適所に弾力的に保持できるように凹み溝を設けたプラスチックスリーブ管４２を含むプレスシール末端４０をもつ白熱灯である。ランプ２２の適切な球部およびスリーブ管の設計は、Ｍ．Ｒ．ホールマン（Ｈｏｌｍａｎ）らの米国特許第５，１８６，６６９号およびＧ．Ｅ．タルモン−グロス（Ｔａｌｍｏｎ−Ｇｒｏｓ）らの米国特許第５，４８６，９９１号に開示されている。この完全な記載は、参照文献により本明細書に組み込むものとする。適切には、既存のＧＴ−８電球をフェデラルモーグル株式会社（Ｆｅｄｅｒａｌ−Ｍｏｇｕｌ  Ｃｏｒｐｏｒａｔｉｏｎ）のワーグナー照明（Ｗａｇｎｅｒ  Ｌｉｇｈｔｉｎｇ）部から市販品を入手することもできる。
【０００９】
ランプ２２は、ソケット１８本体３２の開口部５０内に取り付けてある。その開口部５０内に電気接触子３４並びに一対の対向する弾力性保持構成部分または指片５２が設置してある。これらの指片はそれぞれ、白熱灯２２のプレスシール末端でスリーブ管４２と係合することにより、ランプを開口部５０内に保持する。これを達成するには、対向する指片に面し、ランプを開口部に挿入するときにスリーブ管４２上の相当凹部溝内にパチンと嵌る突出部を各保持指片５２に提供するようにする。指片５２は、融通性がきくので、ランプは、ソケットの一体構成部分ではなく、しかし、ランプに十分な力を上方に加えて、指片を外側へ曲げることで、ランプのプレスシール末端が上に動き、ソケット１８から外れることにより取替えることができる。
【００１０】
接触子と端子がハウジングと本体間の界面で共に連結するように、電気接触子３４を本体３２内に設置し、端子３６をハウジング３０内に設置する。しかし、各接触子は、端子と結合するので、接触子が個別の構成部品よりはむしろ端子の一体状延長部分である別の実施形態のソケット組立て体を使用できるであろう。その端子は、バックプレート１２上の対応するパッドに接合し、単一接続器５６を用いて三つのソケット１８〜２０すべてに電力を供給できるように設計してある。
【００１１】
組立て体１０全般、特に、ソケット１８〜２０とバックプレート１２のより完全な説明は、フォリッシュ（Ｆｏｒｉｓｈ）の米国特許第５，５３６，１７４号に含まれ、その完全な記載は、参照文献により本明細書に組み込むものとする。フォリッシュ（Ｆｏｒｉｓｈ）らの米国特許第６，１３９，３３４号は、また、本発明の範囲から逸脱せずに適切に使用することもできる、もう一つのバックプレートとソケット組立て体を開示する。その特許の完全な記載は、参照文献により、本明細書に組み込むものとする。また、ハウジングとそのハウジングに一体に装着される本体の両方を設けた二部式ソケット組立て体を使用するよりはむしろ、単一の一体状ハウジングが用いられるだろう。
【００１２】
図３は、共通バックプレート１２を用いない用途で使用できる本発明のランプソケット組立て体５８のもう一つの実施形態を示す。図２の実施形態に関するように、図３のソケット組立て体５８は、ハウジング６０と指片６４を設けた本体６２、並びに電気接触子６６と端子６８を含むが、ハウジング６０の一体化構成部品として端子を取り囲む接続器７０も含む。ランプソケット組立て体５８並びにさらに別の実施形態のより完全な説明は、フォリッシュ（Ｆｏｒｉｓｈ）らの米国特許第５，０３５，６４３号に含まれる。その完全な記載は、参照文献により、本明細書に組み込むものとする。
【００１３】
本発明に従って、ランプソケット組立て体１８〜２０および６０は、登録商標Ｕｌｔｅｍという商品名でＧＥから入手できるようなポリエーテルイミド（ＰＥＩ）から製造されている。ハウジング３０、６０および本体３２、６２は共に、ポリエーテルイミドから製造するのが好ましいが、両方を必要としないので、例えば、ソケット組立て体をポリエーテルイミドから製造した本体３２，６２だけで構築できることはわかるであろう。プラスチック構成部品の成形におけるポリエーテルイミド樹脂の用途は、当業者にとって公知であり、在来の成形工程を用いて、ランプソケットを製造することができる。公知のように、ポリエーテルイミド樹脂は、これらのランプソケットに通常使用されるプラスチックよりも高温を用いて成形されるので、その成形工程では油冷鋳型を用いることができる。この標準ランプソケット成形工程および他の必要な、または望ましい変更は、当業者にとって明らかであろう。
【００１４】
得られるＰＥＩランプソケット組立て体は、在来のランプソケットプラスチックで普通生じるような気体放出を示さずに、これらの種類の車両ランプソケットでは９３．３℃（２００°Ｆ）〜２３２．２℃（４５０°）Ｆの操作温度で良好に働くことが認められている。試験により、反射体またはレンズの表面に目に見える衝撃がないことが示された。
【００１５】
このように、本明細書において明記した目的および有益性を獲得するポリエーテルイミドランプソケット組立て体が本発明に従って提供されたことは明らかであろう。前述の説明は、本発明の好適な模範的実施形態であり、示した特定の実施形態に本発明を限定するものではないことも、もちろん理解されよう。様々な変更や改変は、当業者にとって明らかになるだろう。例えば、バックプレートを、同様にポリエーテルイミド樹脂から作製できるであろう。このような変型および改変は全て、添付の特許請求の範囲内になるものとする。
【図面の簡単な説明】
【００１６】
【図１】本発明に従って構築した外部車両ランプ組立て体の側面図で、本組立て体の断面部分を示す。
【図２】図１のランプソケットの一つの断面図である。
【図３】本発明のランプソケットのもう一つの実施形態の断面図である。
【国際公開パンフレット】
2004523079.tif 000003
2004523079.tif 000004
2004523079.tif 000005
2004523079.tif 000006
2004523079.tif 000007
2004523079.tif 000008
2004523079.tif 000009
2004523079.tif 000010
2004523079.tif 000011
2004523079.tif 000012
【手続補正書】
【提出日】平成15年9月30日(2003.9.30)
【手続補正１】
【補正対象書類名】特許請求の範囲
【補正対象項目名】全文
【補正方法】変更
【補正の内容】
【特許請求の範囲】
【請求項１】
白熱灯のプレスシールを受け入れる開口部を設けたポリエーテルイミド製プラスチックソセットと、
前記開口部内に設置した複数の電気接触子と、
前記接触子の一つとそれぞれ電気的に連結する複数の端子を含み、
前記ソケットが、白熱灯のプレスシール末端と係合することにより、ランプを前記開口部内に保持するように前記開口部内に設置した少なくとも一つの弾力性保持構成部分を含む、個別の取替え型白熱灯に使用するランプソケット組立て体。
【請求項２】
ランプのプレスシール末端がプラスチックスリーブ管を含む請求項１に記載のランプソケット組立て体。
【請求項３】
前記端子がそれぞれ、前記接触子の一つと結合し、各端子と関係接触子が、互いに電気的に連結した別個の構成部品を構成する請求項１に記載のランプソケット組立て体。
【請求項４】
前記ソケットがハウジングと、前記ハウジンクに一体に装着された別個の本体を含み、前記本体とハウジングが共にポリエーテルイミドから製造してある請求項１に記載のランプソケット組立て体。
【請求項５】
前記電気接触子を前記本体に設置し、前記端子を前記ハウジングに設置してある請求項４に記載のランプソケット組立て体。
【請求項６】
ランプソケットと、
前記ランプソケット内に着脱自在に取り付けた白熱灯；前記ランプの周りに少なくとも部分的に広がる反射体と、
レンズを含み、前記ランプソケットをポリエーテルイミドから製造してある車両ランプ組立て体。
【請求項７】
ランプソケットの開口部内に設置した複数の電気接触子と、
前記接触子の一つとそれぞれ電気的に連結する複数の端子を含み、
前記ソケットが、白熱灯と係合することにより、ランプを前記開口部内に保持するように前記開口部に設置した少なくとも一つの弾力性保持構成部分を含む請求項６に記載の車両ランプ組立て体。
【請求項８】
ランプが、前記保持構成部分と接触するプラスチックスリーブ管を設けたプレスシール末端を含む請求項７に記載の車両ランプ組立て体。
【請求項９】
前記端子のそれぞれが、前記接触子の一つと結合し、各端子と関係接触子が、互いに電気的に連結した別個の構成部品を構成する請求項７に記載の車両ランプ組立て体。
【請求項１０】
前記ソケットが、ハウジングと、前記ハウジングに一体に装着された別個の本体を含み、前記本体とハウジングの両方をポリエーテルイミドから製造してある請求項６に記載の車両ランプ組立て体。
【請求項１１】
さらに、前記ソケットを取り付けるバックプレートを含む請求項６に記載の車両ランプ組立て体。
【請求項１２】
前記ランプソケットの開口部内に設置した複数の電気接触子と
前記接触子の一つにそれぞれ電気的に連結した複数の端子と、
白熱灯と係合することにより、ランプを前記開口部内に保持するように前記開口部に設置した少なくとも一つの弾力性保持構成部分を含む請求項６に記載の車両ランプ組立て体。
【請求項１３】
ハウジングと、前記ハウジングに一体に装着された本体を含み、前記本体に、取替え型白熱灯のプレスシール末端を取替え自在に受け入れる開口部を設けたポリエーテルイミド製プラスチックソケットと、前記開口部内に設置した複数の電気接触子；および前記接触子の一つとそれぞれ電気的に連結した複数の端子とを含む、別個の取替え型白熱灯に使用するランプソケット組立て体。
【請求項１４】
ランプのプレシール末端がプラスチックスリーブ管を含む請求項１３に記載のランプソケット組立て体。
【請求項１５】
さらに、白熱灯のプレスシール末端と係合することにより、ランプを前記開口部内に保持するように前記開口部に設置した少なくとも一つの弾力性保持構成部分を含む請求項１３に記載のランプソケット組立て体。
【請求項１６】
ランプのプレスシール末端が前記弾力性保持構成部分と接触するように配置したプラスチックスリーブ管を含む請求項１３に記載のランプソケット組立て体。
【請求項１７】
ハウジングと、前記ハウジングに一体に装着された本体を含み、前記本体に取替え型白熱灯のプレスシール末端を着脱自在に受け入れる開口部を設けたポリエーテルイミド製プラスチックソケットと、
前記ランプソケット内に脱着自在に取り付けた白熱灯と、
前記ランプの周りに少なくとも部分的に広がる反射体；およびレンズを含む車両ランプ組立て体。
【請求項１８】
ランプのプレスシール末端がプラスチックスリーブ管を含む請求項１７に記載のランプソケット組立て体。
【請求項１９】
さらに、白熱灯のプレスシール末端と係合することにより、ランプを前記開口部内に保持するように前記開口部に設置した少なくとも一つの弾力性保持構成部分を含む請求項１７に記載のランプソケット組立て体。
【請求項２０】
ランプのプレスシール末端が前記弾力性保持構成部分と接触するプラスチックスリーブ管を含む請求項１７に記載のランプソケット組立て体。
【国際調査報告】
2004523079.tif 000013